(57)【要約】      （修正有）【課題】ユーザーの寄付活動について、効果を発揮させたい第三者へ集中的かつ効率的に、客観的な活動履歴を適時かつ容易にアピールすることができると共に、寄付先の社会貢献活動も相乗的に拡大させる。【解決手段】印刷依頼と寄付依頼とを含む印刷注文情報を受け付ける注文受付手段１２０と、印刷装置に、印刷依頼に関する処理を実行させると共に、寄付履歴情報の格納場所を示す寄付履歴格納場所指定情報を印刷する処理を実行させるための印刷指示を生成する印刷指示生成手段１４０と、寄付依頼で指定される寄付先への寄付金の入金処理を行う寄付先出金手段１５０と、印刷物上に印刷された寄付履歴格納場所指定情報を読み取った情報を含む寄付履歴閲覧要求を受け付ける寄付履歴閲覧要求受付手段１６０と、寄付履歴閲覧要求に応じ、寄付履歴情報を表示させる寄付履歴表示手段１７０と、を有する。【選択図】図２
2015152980.tif 000002
【特許請求の範囲】
【請求項１】
寄付先を特定する情報を記憶する寄付先情報記憶手段と、
一のユーザーが操作する端末から、所定物品へ所定内容の印刷を行うことを依頼する印刷依頼と前記寄付先への寄付の代行を依頼する寄付依頼とを含む印刷注文情報を受け付ける注文受付手段と、
前記一のユーザーが行った前記寄付の履歴に関する寄付履歴情報を記憶する寄付履歴情報記憶手段と、
印刷装置に、前記注文受付手段により受け付けた前記印刷依頼に関する処理を実行させると共に、前記寄付履歴情報の格納場所を示す寄付履歴格納場所指定情報を前記所定物品上に印刷する処理を実行させるための印刷指示を生成する印刷指示生成手段と、
前記注文受付手段により受け付けた前記寄付依頼で指定される前記寄付先への寄付金の入金処理を行う寄付先出金手段と、
他のユーザーが操作する端末から、前記印刷指示生成手段により生成された前記印刷指示に基づき前記所定物品上に印刷された前記寄付履歴格納場所指定情報を読み取った情報を含む、前記一のユーザーに関する前記寄付履歴情報の閲覧を要求する寄付履歴閲覧要求を受け付ける寄付履歴閲覧要求受付手段と、
前記寄付履歴閲覧要求受付手段により受け付けた前記寄付履歴閲覧要求に応じ、前記他のユーザーが操作する端末において、前記一のユーザーに関する寄付履歴情報を表示させる寄付履歴表示手段と、を有することを特徴とする寄付履歴を閲覧可能な印刷物作成装置。
【請求項２】
前記寄付先出金手段による前記寄付先への前記入金処理が行われた後、前記寄付先から送信された前記寄付金の着金を確認した旨の着金確認情報を受信すると共に、前記一のユーザーに関する前記寄付履歴情報に、前記着金確認情報に対応する前記寄付の履歴を追加する寄付履歴更新手段を有することを特徴とする請求項１に記載の印刷物作成装置。
【請求項３】
前記着金確認情報が、前記一のユーザーが前記寄付先に対し寄付を行ったことを証明する寄付証明書情報を含み、
前記寄付証明書情報が、前記寄付履歴情報記憶手段において前記寄付履歴情報として記憶され、
前記寄付履歴表示手段が、前記他のユーザーが操作する端末上に前記寄付証明書情報を表示させることを特徴とする請求項２に記載の印刷物作成装置。
【請求項４】
前記寄付先情報記憶手段において、複数の前記寄付先に関する情報が記憶され、
前記注文受付手段が、前記寄付依頼として、前記一のユーザーが選択した１つ以上の前記寄付先に対する寄付の代行依頼を受け付けることを特徴とする請求項１乃至３の何れか一に記載の印刷物作成装置。
【請求項５】
前記印刷依頼が、前記寄付履歴格納場所指定情報の所定物品上での印刷位置を特定する情報を含むことを特徴とする請求項１乃至４の何れか一に記載の印刷物作成装置。
【請求項６】
前記寄付履歴格納場所指定情報が、１次元コード又は２次元コードであることを特徴とする請求項１乃至５の何れか一に記載の印刷物作成装置。
【請求項７】
前記寄付依頼が、前記寄付先ごとに寄付の金額が指定可能であることを特徴とする請求項４に記載の印刷物作成装置。
【請求項８】
前記所定物品が、名刺、封筒、葉書のうち何れかであることを特徴とする請求項１乃至７の何れか一に記載の印刷物作成装置。
【請求項９】
寄付先を特定する情報を記憶する寄付先情報記憶手段と、一のユーザーが行った寄付の履歴に関する寄付履歴情報を記憶する寄付履歴情報記憶手段と、を有する印刷物作成装置における寄付履歴を閲覧可能な印刷物の作成・閲覧方法であって、
注文受付手段が、前記一のユーザーが操作する端末から、所定物品へ所定内容の印刷を行うことを依頼する印刷依頼と前記寄付先への寄付の代行を依頼する寄付依頼とを含む印刷注文情報を受け付けるステップと、
印刷指示生成手段が、印刷装置に、前記注文受付手段により受け付けた前記印刷依頼に関する処理を実行させると共に、前記寄付履歴情報の格納場所を示す寄付履歴格納場所指定情報を前記所定物品上に印刷する処理を実行させるための印刷指示を生成するステップと、
寄付先出金手段が、前記注文受付手段により受け付けた前記寄付依頼で指定される前記寄付先への寄付金の入金処理を行うステップと、
寄付履歴閲覧要求受付手段が、他のユーザーが操作する端末から、前記印刷指示生成手段により生成された前記印刷指示に基づき前記所定物品上に印刷された前記寄付履歴格納場所指定情報を読み取った情報を含む、前記一のユーザーに関する前記寄付履歴情報の閲覧を要求する寄付履歴閲覧要求を受け付けるステップと、
寄付履歴表示手段が、前記寄付履歴閲覧要求受付手段により受け付けた前記寄付履歴閲覧要求に応じ、前記他のユーザーが操作する端末において、前記一のユーザーに関する寄付履歴情報を表示させるステップと、を含む寄付履歴を閲覧可能な印刷物の作成・閲覧方法。
【請求項１０】
寄付履歴更新手段が、前記寄付先出金手段による前記寄付先への前記入金処理が行われた後、前記寄付先から送信された前記寄付金の着金を確認した旨の着金確認情報を受信すると共に、前記一のユーザーに関する前記寄付履歴情報に、前記着金確認情報に対応する前記寄付の履歴を追加するステップを含むことを特徴とする請求項９に記載の寄付履歴を閲覧可能な印刷物の作成・閲覧方法。
【請求項１１】
前記着金確認情報が、前記一のユーザーが前記寄付先に対し寄付を行ったことを証明する寄付証明書情報を含み、
前記寄付証明書情報が、前記寄付履歴情報記憶手段において前記寄付履歴情報として記憶され、
前記寄付履歴表示手段が、前記他のユーザーが操作する端末上に前記寄付証明書情報を表示させることを特徴とする請求項１０に記載の寄付履歴を閲覧可能な印刷物の作成・閲覧方法。
【請求項１２】
前記寄付先情報記憶手段において、複数の前記寄付先に関する情報が記憶され、
前記注文受付手段が、前記寄付依頼として、前記一のユーザーが選択した１つ以上の前記寄付先に対する寄付の代行依頼を受け付けることを特徴とする請求項９乃至１１の何れか一に記載の寄付履歴を閲覧可能な印刷物の作成・閲覧方法。
【請求項１３】
前記印刷依頼が、前記寄付履歴格納場所指定情報の所定物品上での印刷位置を特定する情報を含むことを特徴とする請求項９乃至１２の何れか一に記載の寄付履歴を閲覧可能な印刷物の作成・閲覧方法。
【請求項１４】
前記寄付履歴格納場所指定情報が、１次元コード又は２次元コードであることを特徴とする請求項９乃至１３の何れか一に記載の寄付履歴を閲覧可能な印刷物の作成・閲覧方法。
【請求項１５】
前記寄付依頼が、前記寄付先ごとに寄付の金額が指定可能であることを特徴とする請求項１２に記載の寄付履歴を閲覧可能な印刷物の作成・閲覧方法。
【請求項１６】
前記所定物品が、名刺、封筒、葉書のうち何れかであることを特徴とする請求項９乃至１５の何れか一に記載の寄付履歴を閲覧可能な印刷物の作成・閲覧方法。
【請求項１７】
コンピュータに、請求項９乃至１６の何れか一に記載の寄付履歴を閲覧可能な印刷物の作成・閲覧方法を実行させるための寄付履歴を閲覧可能な印刷物の作成・閲覧プログラム。
【発明の詳細な説明】
【技術分野】
【０００１】
本発明は、印刷物上に印刷された情報に基づき、印刷物の配布者に関する寄付履歴（募金履歴）を閲覧可能とすることによって、印刷物の受領者に対する宣伝・広告効果を高め、それにより社会貢献活動を活発に、また参加を容易にする技術に関する。
【背景技術】
【０００２】
企業は、社会的責任を有し、事業利益を追求するだけでなく、組織活動が社会へ与える影響に責任を持ち、社会に対して最大限の貢献を行う必要があるという考え方が存在する。
【０００３】
一方、社会への利益還元の一環として、企業が社会奉仕活動を行った場合、当該企業は一定の社会的責任を果たしているという印象を与える事が出来るため、企業が社会奉仕活動を行い、第三者へアピールすることは広告宣伝効果を発揮すると考えられる。
【０００４】
他方、企業による社会貢献活動には様々な種類があり、当該社会貢献活動を企業の広告宣伝として活用する研究・開発が一定の規模で行われている。その一例として、特許文献１では、企業等がカーボンオフセット活動に参加していることを一般消費者に知らしめるサプライ品を提供する方法の提案がなされている。また、特許文献２では、燃料転換によって生じた炭素排出量の減少を排出権として、証書化する市場を提供する方法の提案がなされている。
【先行技術文献】
【特許文献】
【０００５】
【特許文献１】特開２０１２−０６３８５６号公報
【特許文献２】特開２００４−３１０４６９号公報
【発明の概要】
【発明が解決しようとする課題】
【０００６】
しかしながら、上記の従来技術では、企業の社会貢献活動について、広告宣伝効果を発揮させたい第三者へ集中的かつ効率的にアピールすることが難しいという問題点があった。
また、上記の従来技術では、社会貢献活動を行った企業の活動履歴を客観的、適時、かつ容易に確認することが難しいという問題点があった。
【０００７】
さらに、上記の従来技術では、対象企業が社会貢献活動を提供する様々な寄付先の活動を個別にサポートし、当該寄付先による社会貢献活動の規模を拡大させることが難しいという問題点があった。
【０００８】
そこで本発明では、上記問題点に鑑み、ユーザーの寄付活動について、効果を発揮させたい第三者へ集中的かつ効率的に、客観的な活動履歴を適時かつ容易にアピールすることができると共に、寄付先の社会貢献活動も相乗的に拡大させる印刷物作成装置を提案することを目的とする。
【課題を解決するための手段】
【０００９】
開示する印刷物作成装置の一形態は、寄付先を特定する情報を記憶する寄付先情報記憶手段と、一のユーザーが操作する端末から、所定物品へ所定内容の印刷を行うことを依頼する印刷依頼と前記寄付先への寄付の代行を依頼する寄付依頼とを含む印刷注文情報を受け付ける注文受付手段と、前記一のユーザーが行った前記寄付の履歴に関する寄付履歴情報を記憶する寄付履歴情報記憶手段と、印刷装置に、前記注文受付手段により受け付けた前記印刷依頼に関する処理を実行させると共に、前記寄付履歴情報の格納場所を示す寄付履歴格納場所指定情報を前記所定物品上に印刷する処理を実行させるための印刷指示を生成する印刷指示生成手段と、前記注文受付手段により受け付けた前記寄付依頼で指定される前記寄付先への寄付金の入金処理を行う寄付先出金手段と、他のユーザーが操作する端末から、前記印刷指示生成手段により生成された前記印刷指示に基づき前記所定物品上に印刷された前記寄付履歴格納場所指定情報を読み取った情報を含む、前記一のユーザーに関する前記寄付履歴情報の閲覧を要求する寄付履歴閲覧要求を受け付ける寄付履歴閲覧要求受付手段と、前記寄付履歴閲覧要求受付手段により受け付けた前記寄付履歴閲覧要求に応じ、前記他のユーザーが操作する端末において、前記一のユーザーに関する寄付履歴情報を表示させる寄付履歴表示手段と、を有することを特徴とする。
【００１０】
また、開示する印刷物作成装置の一形態は、上記構成に加え、前記寄付先出金手段による前記寄付先への前記入金処理が行われた後、前記寄付先から送信された前記寄付金の着金を確認した旨の着金確認情報を受信すると共に、前記一のユーザーに関する前記寄付履歴情報に、前記着金確認情報に対応する前記寄付の履歴を追加する寄付履歴更新手段を有することを特徴とする。
【００１１】
また、開示する印刷物作成装置の一形態は、上記構成に加え、前記着金確認情報が、前記一のユーザーが前記寄付先に対し寄付を行ったことを証明する寄付証明書情報を含み、前記寄付証明書情報が、前記寄付履歴情報記憶手段において前記寄付履歴情報として記憶され、前記寄付履歴表示手段が、前記他のユーザーが操作する端末上に前記寄付証明書情報を表示させることを特徴とする。
【００１２】
また、開示する印刷物作成装置の一形態は、上記構成に加え、前記寄付先情報記憶手段において、複数の前記寄付先に関する情報が記憶され、前記注文受付手段が、前記寄付依頼として、前記一のユーザーが選択した１つ以上の前記寄付先に対する寄付の代行依頼を受け付けることを特徴とする。
【００１３】
また、開示する印刷物作成装置の一形態は、上記構成に加え、前記印刷依頼が、前記寄付履歴格納場所指定情報の所定物品上での印刷位置を特定する情報を含むことを特徴とする。
また、開示する印刷物作成装置の一形態は、上記構成に加え、前記寄付履歴格納場所指定情報が、１次元コード又は２次元コードであることを特徴とする。
また、開示する印刷物作成装置の一形態は、上記構成に加え、前記寄付依頼が、前記寄付先ごとに寄付の金額が指定可能であることを特徴とする。
また、開示する印刷物作成装置の一形態は、上記構成に加え、前記所定物品が、名刺、封筒、葉書のうち何れかであることを特徴とする。
【発明の効果】
【００１４】
開示する印刷物作成装置は、ユーザーの寄付活動について、効果を発揮させたい第三者へ集中的かつ効率的に、客観的な活動履歴を適時かつ容易にアピールすることができると共に、寄付先の社会貢献活動も相乗的に拡大させる。
【図面の簡単な説明】
【００１５】
【図１】本実施の形態に係る印刷物作成装置と周辺装置との関係を示す図である。
【図２】本実施の形態に係る印刷物作成装置の機能ブロック図である。
【図３】本実施の形態に係る寄付履歴情報記憶手段に記憶される情報の一例を示す図である。
【図４】本実施の形態に係る注文受付手段が提供する画面例（その１）を示す図である。
【図５】本実施の形態に係る注文受付手段が提供する画面例（その２）を示す図である。
【図６】本実施の形態に係る印刷指示生成手段により生成される寄付履歴格納場所指定情報の一例を示す図である。
【図７】本実施の形態に係る印刷指示生成手段により生成される印刷指示に基づき印刷された印刷物の一例を示す図である。
【図８】本実施の形態に係る印刷物作成装置のハードウエア構成例である。
【図９】本実施の形態に係る印刷物作成装置による印刷指示生成処理の一例の流れを示すフローチャートである。
【図１０】本実施の形態に係る印刷物作成装置による寄付振込処理の一例の流れを示すフローチャートである。
【図１１】本実施の形態に係る印刷物作成装置による寄付履歴表示処理の一例の流れを示すフローチャートである。
【発明を実施するための形態】
【００１６】
図面を参照しながら、本発明を実施するための形態について説明する。
（本実施の形態に係る印刷物作成装置の概要）
【００１７】
図１を用いて、本実施の形態に係る印刷物作成装置１００の概要について説明する。図１は、印刷物作成装置１００と周辺装置との関係を示した図であって、印刷物作成装置１００の概要を説明する図である。
【００１８】
図１で示すように、印刷物作成装置１００は、一のユーザー３４０が操作する端末（以下、「第１ユーザー端末」という。）２００から印刷物に関する発注を受け付けると共に、希望する寄付先３６０への寄付代行の依頼２５０を受け付ける。このとき、印刷物作成装置１００と第１ユーザー端末２００とは、インターネット等の通信ネットワークにて接続されている。ここで、寄付とは、募金も含む概念である。
【００１９】
印刷物作成装置１００は、第１ユーザー端末２００から受け付けた印刷依頼２４０及び寄付代行依頼２５０に基づいて印刷装置２８０に印刷を実行させる印刷指示情報３００を生成する。このとき、印刷物作成装置１００は、上記の寄付代行依頼２５０に基づく寄付行為履歴２７０を蓄積し、印刷指示情報３００は、閲覧用の寄付行為履歴２７０が記憶される記憶装置４４０内の場所を指定する情報２９０及び当該情報２９０の印刷位置を含む情報である。
【００２０】
なお印刷装置２８０は、印刷指示情報３００に基づき、例えば、名刺、封筒、葉書等の印刷対象物２２０への印刷処理を実行し、印刷物２２０を完成させる。その後、印刷装置２８０によって作成された印刷物２２０は、ユーザー３４０の下へ郵送等され、ユーザー３４０は、送られてきた印刷物２２０の受領後、適宜、印刷物２２０を他のユーザー３５０へ配布する。
【００２１】
一方、印刷物作成装置１００は、第１ユーザー端末２００から受け付けた寄付代行依頼２５０に基づいて、指定の寄付先３６０へ指定の金額の振り込み処理を行う。
【００２２】
他方、印刷物２２０を受け取った他のユーザー３５０は、ユーザー３５０が操作する端末（以下、「第２ユーザー端末」という。）２１０を用いて印刷物２２０上に印刷された情報２９０を読み取り、読み取った情報２９０を印刷物作成装置１００へインターネット等の通信ネットワークを介して送信することができる。印刷物作成装置１００は、第２ユーザー端末２１０から送付された情報２９０を受信し、受信した情報２９０が指定する記憶装置４４０内の場所に記憶される閲覧用の寄付行為履歴２７０を第２ユーザー端末２１０上に表示させる。
【００２３】
上記一連の情報処理によって、印刷物作成装置１００は、企業の寄付活動について、効果を発揮させたい第三者３５０へ集中的かつ効率的に、客観的な活動履歴２７０を適時かつ容易にアピールすることができる環境を提供する。
（本実施の形態に係る印刷物作成装置の動作原理）
【００２４】
図２乃至７を用いて、印刷物作成装置１００の動作原理について説明する。図２は、印刷物作成装置１００の機能ブロック図である。図２で示すように、印刷物作成装置１００は、寄付先情報記憶手段１１０、注文受付手段１２０、寄付履歴情報記憶手段１３０、印刷指示生成手段１４０、寄付先出金手段１５０、寄付履歴閲覧要求受付手段１６０、寄付履歴表示手段１７０、寄付履歴更新手段１８０を有する。また、印刷物作成装置１００は、第１ユーザー端末２００・第２ユーザー端末２１０と、インターネット等の通信ネットワークを介して接続される。なお、第１ユーザー端末２００・第２ユーザー端末２１０は、パーソナルコンピューター、携帯情報端末、スマートフォンなど外部通信機能を備えた情報処理装置である。
【００２５】
寄付先情報記憶手段１１０は、寄付先（募金先）３６０を特定する情報を記憶している。例えば、寄付先情報記憶手段１１０は、寄付先３６０の名称、実施する社会奉仕活動の内容、寄付金の振込先に関する情報（銀行名、口座番号等）等を関連付けて記憶している。図３の最右列で示すように、寄付先３６０の名称とは、例えば、「東日本大震災義援金」や「アフリカ小児ワクチン」などである。
【００２６】
寄付履歴情報記憶手段１３０は、印刷支援装置１００に印刷物２２０を発注したユーザー３４０毎に、ユーザー３４０の寄付活動に関する履歴情報２７０を記憶する。図３で示すように、寄付履歴情報記憶手段１３０は、例えば、ユーザー３４０を識別するユーザコード、ユーザー３４０の名称、印刷対象物２２０の種類・購入日、寄付（募金）の実施日、寄付金額、寄付先３６０の名称それぞれを関連付けて、一覧可能に記憶する。ここで、寄付の実施日とは、例えば、印刷物作成装置１００が寄付先３６０へ振り込み処理を実行した日である。ここで、印刷対象物２２０とは、封筒、名刺、葉書など印刷可能なものであり、その範囲は特に限定されない。
【００２７】
注文受付手段１２０は、第１ユーザー端末２００から、所定の印刷対象物２２０へ所定の内容２３０を印刷する依頼である印刷依頼２４０を受け付ける。図４で示すように、印刷依頼２４０は、ユーザー３４０の氏名・名称、ユーザー３４０のあて先、ユーザー３４０の連絡先などを含む。さらに図５で示すように、印刷依頼２４０は、ユーザー３４０が希望する印刷のデザインを指定する情報も含む。
【００２８】
注文受付手段１２０は、第１ユーザー端末２００から、所定の寄付先３６０へ所定の金額の寄付行為を代行してもらう依頼である寄付依頼２５０を受け付ける。寄付依頼２５０においては、寄付先３６０の数、寄付金額の多寡に限定はなく、寄付先３６０毎に寄付金額は自由に設定できる。また、注文受付手段１２０は、プルダウンメニューや寄付先３６０の紹介頁を別途設けるなどして、ユーザー３４０に対し寄付先３６０・寄付内容の選択機会を提供する形態であっても良い。
【００２９】
印刷指示生成手段１４０は、寄付履歴情報記憶手段１３０におけるユーザー３４０の寄付履歴情報２７０を記憶した場所を示す寄付履歴格納場所指定情報２９０を生成する。図６で示すように、寄付履歴格納場所指定情報２９０は、ＵＲＬ（Uniform Resource Locator）（図６（ａ）を参照）、１次元コード（図６（ｂ）参照）、ＱＲコード（登録商標）等の２次元コード（図６（ｃ）参照）などであり、その表示形式は限定しない。
【００３０】
印刷指示生成手段１４０は、印刷装置２８０に、寄付履歴格納場所指定情報２９０を印刷対象物２２０上のどの位置に印刷させるかを含む印刷依頼２４０を実行させるための印刷指示３００を生成する。図７で示すように、印刷指示生成手段１４０は、例えば、名刺２２０を作成するために必要な情報に加え、名刺２２０の右下隅に寄付履歴格納場所指定情報２９０を印刷させるような印刷指示３００を生成する。
【００３１】
なお、注文受付手段１２０が受け付ける印刷依頼２４０は、寄付履歴格納場所指定情報２９０を印刷対象物２２０上のどの位置に印刷させるかという情報を含み、寄付履歴格納場所指定情報２９０の表示形式はユーザー３４０が自由に選択できる形態としても良い。
【００３２】
寄付先出金手段１５０は、注文受付手段１２０が受け付けた寄付依頼２５０に基づいて、ユーザー３４０が希望する寄付先３６０へ、ユーザー３４０が希望する寄付金額を入金させる処理を行う。より具体的には、寄付先出金手段１５０は、寄付先情報記憶手段１１０においてユーザー３４０希望の寄付先３６０と関連付けて記憶される振込先（銀行名、口座番号等）へ、ユーザー３４０の指定金額を振り込む処理を行う。
寄付先出金手段１５０は、寄付先３６０への寄付がユーザー３４０の依頼によるものであることを示す情報を付加して、入金処理を行う形態としても良い。
【００３３】
寄付履歴更新手段１８０は、寄付先出金手段１５０による入金処理が実行された後、寄付先３６０から送信される「入金を確認した」旨の情報である着金確認情報３２０を受信する。なお、着金確認情報３２０は、ユーザー３４０が寄付先３６０に対し所定金額の寄付を行ったことを証明する情報である寄付証明書情報３３０であっても良い。
【００３４】
寄付履歴更新手段１８０は、着金確認情報３２０に基づいて、寄付履歴情報記憶手段１３０に記憶されるユーザー３４０に関する寄付履歴情報２７０を更新する。図３で示すように、寄付履歴更新手段１８０は、例えば、着金確認情報３２０に基づいて、寄付履歴情報記憶手段１３０に記憶される「寄付（募金）の実施日」、「寄付金額」、「寄付先３６０の名称」を更新（追加）する。
【００３５】
また、寄付履歴更新手段１８０は、寄付履歴情報記憶手段１３０に記憶される寄付履歴情報２７０の更新にあたり、寄付証明書情報３３０を閲覧可能な状態に追加記憶させる形態としても良い。
【００３６】
以下では、ユーザー３４０とは異なるユーザー３５０が、ユーザー３４０から印刷物２２０の配布を受け、第２ユーザー端末２１０を用いて、印刷物２２０上に印刷された寄付履歴格納場所指定情報２９０を読み取る動作を行った後の処理について説明する。
【００３７】
寄付履歴閲覧要求受付情報１６０は、第２ユーザー端末２１０から、印刷物２２０から読み取った履歴格納場所指定情報２９０で指定される場所に記憶されるユーザー３４０に関する寄付履歴情報２７０の閲覧要求を受け付ける。
【００３８】
寄付履歴表示手段１７０は、寄付履歴閲覧要求受付情報１６０により受け付けた閲覧要求に基づいて、印刷物２２０上に印刷された履歴格納場所指定情報２９０で指定される場所に記憶されるユーザー３４０に関する寄付履歴情報２７０を第２ユーザー端末２１０に表示させる。
【００３９】
寄付履歴表示手段１７０は、ユーザー３４０に関する寄付履歴情報２７０として、寄付証明書情報３３０を第２ユーザー端末２１０に表示させる形態であっても良い。
【００４０】
印刷物作成装置１００は、上記のような動作原理に基づいて、ユーザー３４０の寄付活動について、効果を発揮させたい第三者３５０へ集中的かつ効率的に、客観的な活動履歴２７０を適時かつ容易にアピールすることができる。
（本実施の形態に係る印刷物作成装置のハードウエア構成）
【００４１】
図８を用いて、印刷物作成装置１００のハードウエア構成例について説明する。図８は、印刷物作成装置１００のハードウエア構成の一例を示す図である。図８で示すように、印刷物作成装置１００は、ＣＰＵ（Central Processing Unit）４１０、ＲＯＭ（Read-Only Memory）４２０、ＲＡＭ（Random Access Memory）４３０、補助記憶装置４４０、通信Ｉ／Ｆ４５０、入出力装置４６０、印刷装置Ｉ／Ｆ４７０、記録媒体Ｉ／Ｆ４８０を有する。
【００４２】
ＣＰＵ４１０は、ＲＯＭ４２０に記憶されたプログラムを実行する装置であり、ＲＡＭ４３０に展開（ロード）されたデータを、プログラムの命令に従って演算処理し、印刷物作成装置１００全体を制御する。ＲＯＭ４２０は、ＣＰＵ４１０が実行するプログラムやデータを記憶している。ＲＡＭ４３０は、ＣＰＵ４１０でＲＯＭ４２０に記憶されたプログラムを実行する際に、実行するプログラムやデータが展開（ロード）され、演算の間、演算データを一時的に保持する。
【００４３】
補助記憶装置４４０は、基本ソフトウエアであるＯＳ（Operating System）や本実施の形態に係るアプリケーションプログラムなどを、関連するデータとともに記憶する装置である。補助記憶装置４４０は、寄付先情報記憶手段１１０、寄付履歴情報記憶手段１３０を含み、例えば、ＨＤＤ（Hard Disc Drive）やフラッシュメモリなどである。
【００４４】
通信Ｉ／Ｆ４５０は、有線・無線ＬＡＮ（Local Area Network）、インターネットなどの通信ネットワークに接続し、通信機能を提供する他装置とデータの授受を行うためのインターフェースである。
【００４５】
入出力装置４６０は、キーボードなど印刷物作成装置１００にデータ入力を行うための装置である。また、入出力装置４６０は、ＬＣＤ（Liquid Crystal Display）等で構成される装置であって、印刷物作成装置１００が有する機能をユーザーが利用する際や各種設定を行う際のユーザーインタフェースとして機能する装置でもある。
印刷装置Ｉ／Ｆ４７０は、印刷物作成装置１００が生成した印刷指示３００を実行させる印刷装置２８０とデータの授受を行うためのインターフェースである。
記録媒体Ｉ／Ｆ４８０は、ＣＤ−ＲＯＭ、ＤＶＤ−ＲＯＭ、ＵＳＢメモリなどの記録媒体４９０とデータの送受信を行うためのインターフェースである。
【００４６】
印刷物作成装置１００が有する各手段は、ＣＰＵ４１０が、ＲＯＭ４２０又は補助記憶装置４４０に記憶された各手段に対応するプログラムを実行することにより実現される形態としても良い。また、印刷物作成装置１００が有する各手段は、当該各手段に関する処理をハードウエアとして実現される形態としても良い。また、通信Ｉ／Ｆ４５０を介して外部サーバ装置から本発明に係るプログラムを読み込ませたり、記録媒体Ｉ／Ｆ４８０を介して記録媒体４９０から本発明に係るプログラムを読み込ませたりして、印刷物作成装置１００に当該プログラムを実行させる形態としても良い。
（本実施の形態に係る印刷物作成装置による処理例）
図９乃至１１を用いて、印刷物作成装置１００による処理例について説明する。
（１）印刷物作成装置１００による印刷指示生成処理
【００４７】
図９を用いて、印刷物作成装置１００による印刷指示生成処理例について説明する。印刷指示生成処理とは、印刷物作成装置１００がユーザー３４０から印刷依頼２４０及び寄付依頼２５０を受け、これら依頼に基づき印刷物２２０を作成すると共に、印刷物２２０をユーザー３４０へ納品する一連の処理である。なお、図９は、印刷物作成装置１００による印刷指示生成処理の一例の流れを示すフローチャートである。
【００４８】
Ｓ１０で注文受付手段１２０が、第１ユーザー端末２００から、印刷依頼２４０及び寄付依頼２５０を受け付ける。印刷依頼２４０は、図４で示すように、ユーザー３４０の氏名・名称、ユーザー３４０のあて先、ユーザー３４０の連絡先などを含み、図５で示すように、ユーザー３４０が希望する印刷のデザインを指定する情報も含む。また、印刷依頼２４０は、図７で示すように、寄付履歴格納場所指定情報２９０を印刷対象物２２０上のどの位置に印刷させるかという情報を含む。また図６で示すように、寄付履歴格納場所指定情報２９０の表示形式は、ユーザー３４０が自由に選択できる形態としても良い。
【００４９】
Ｓ２０で決済処理手段が、Ｓ１０において受け付けた印刷依頼２４０及び寄付依頼２５０に対応する代金の決済処理を行う。つまり、印刷物作成装置１００は、ユーザー３４０から印刷依頼２４０及び寄付依頼２５０に係る代金の支払いを受ける。
【００５０】
Ｓ３０で印刷指示生成手段１４０が、Ｓ１０において受け付けた寄付依頼２５０に基づいて寄付履歴格納場所指定情報２９０を生成する。さらにＳ３０では印刷指示生成手段１４０が、印刷装置２８０に、寄付履歴格納場所指定情報２９０の印刷対象物２２０上における印刷位置を含む印刷依頼２４０を実行させるための印刷指示３００を生成する。
【００５１】
Ｓ４０で印刷処理手段が、印刷装置２８０に、印刷指示３００に基づく印刷処理を実行させ、ユーザー３４０が印刷物作成装置１００へ依頼した仕様の印刷物２２０を完成させる。
Ｓ５０で発送処理手段が、Ｓ４０において作成された印刷物２２０を、印刷依頼２４０で指定されるユーザー３４０の宛て先へ届けるための発送処理を行う。
【００５２】
上記のような処理を行うことで、印刷物作成装置１００は、寄付履歴格納場所指定情報２９０が印刷された印刷物２２０をユーザー３４０の下へ届けることができる。
（２）印刷物作成装置１００による寄付振込処理
【００５３】
図１０を用いて、印刷物作成装置１００による寄付振込処理例について説明する。寄付振込み処理とは、寄付依頼２５０に基づいて寄付先３６０の指定口座へ寄付金（募金）の振り込み処理を行うと共に、寄付履歴情報２７０を更新する一連の処理である。なお、図１０は、印刷物作成装置１００による寄付振込処理の一例の流れを示すフローチャートである。
【００５４】
Ｓ１１０で寄付先出金手段１５０が、Ｓ１０において受け付けた寄付依頼２５０に基づいて、ユーザー３４０が希望する寄付先３６０へ、ユーザー３４０が希望する寄付金額を振り込む処理を行う。より具体的には、寄付先出金手段１５０は、寄付先情報記憶手段１１０においてユーザー３４０希望の寄付先３６０と関連付けて記憶される振込先（銀行名、口座番号等）へ、ユーザー３４０の指定金額を振り込む処理を行う。また、寄付先出金手段１５０は、寄付先３６０への寄付がユーザー３４０の依頼によるものであることを示す情報を付加して振込処理を行う形態としても良い。
【００５５】
Ｓ１２０で寄付履歴更新手段１８０が、寄付先３６０から送信される「振り込みを確認した」旨の情報である着金確認情報３２０を受信する。なお、着金確認情報３２０は、ユーザー３４０が寄付先３６０に対し所定金額の寄付を行ったことを証明する情報である寄付証明書情報３３０であっても良い。
【００５６】
Ｓ１３０で寄付履歴更新手段１８０が、Ｓ１２０において受け取った着金確認情報３２０に基づいて、寄付履歴情報記憶手段１３０に記憶されるユーザー３４０に関する寄付履歴情報２７０を更新する。図３で示すように、寄付履歴更新手段１８０は、例えば、着金確認情報３２０に基づいて、寄付履歴情報記憶手段１３０に記憶される「寄付（募金）の実施日」、「寄付金額」、「寄付先３６０の名称」を更新（追加）する。またＳ１３０で寄付履歴更新手段１８０が行う寄付履歴情報２７０の更新処理において、寄付証明書情報３３０を閲覧可能な状態に追加記憶させる形態としても良い。
なお、寄付履歴更新手段１８０は、着金確認情報３２０に依らず、寄付依頼２５０に基づいて寄付履歴情報２７０の更新処理を行う形態としても良い。
【００５７】
上記のような処理を行うことで、印刷物作成装置１００は、ユーザー３４０に関する寄付履歴情報２７０を適時に、客観性を備えた適切な状態にすることができる。
（３）印刷物作成装置１００による寄付履歴表示処理
【００５８】
図１１を用いて、印刷物作成装置１００による寄付履歴表示処理例について説明する。寄付履歴表示処理とは、ユーザー３５０が読み取った印刷物２２０上の寄付履歴格納場所指定情報２９０に基づき、ユーザー３４０の寄付履歴情報２７０を第２ユーザー端末２１０上に表示させる一連の処理である。なお、図１１は、印刷物作成装置１００による寄付履歴表示処理の一例の流れを示すフローチャートである。
【００５９】
ここでは、ユーザー３４０とは異なるユーザー３５０が、ユーザー３４０から印刷物２２０の配布を受け、第２ユーザー端末２１０を用いて、印刷物２２０上に印刷された寄付履歴格納場所指定情報２９０を読み取る動作を行った後の処理について説明する。
【００６０】
Ｓ２１０で寄付履歴閲覧要求受付情報１６０が、第２ユーザー端末２１０から、印刷物２２０から読み取った履歴格納場所指定情報２９０で指定される場所に記憶されるユーザー３４０に関する寄付履歴情報２７０の閲覧要求を受け付ける。
【００６１】
Ｓ２２０で寄付履歴表示手段１７０が、Ｓ２１０において受け付けた閲覧要求に基づいて、印刷物２２０上に印刷された履歴格納場所指定情報２９０で指定される場所に記憶されるユーザー３４０に関する寄付履歴情報２７０を第２ユーザー端末２１０に表示させる。なお、寄付履歴表示手段１７０は、ユーザー３４０に関する寄付履歴情報２７０として、寄付証明書情報３３０を第２ユーザー端末２１０に表示させる形態であっても良い。
上記のような処理を行うことで、印刷物作成装置１００は、ユーザー３５０に対し容易な方法でユーザー３４０の寄付履歴情報２７０を提供することができる。
【００６２】
一方で、印刷物作成装置１００は、ユーザー３４０の寄付活動について、効果を発揮させたい第三者３５０へ集中的かつ効率的に、客観的な活動履歴２７０を適時かつ容易にアピールする環境を提供する。
（総括）
【００６３】
印刷物作成装置１００は、印刷物２２０の配布先３５０に対し配布元３４０の寄付履歴情報２７０を容易に確認できる環境を提供するので、ユーザー３４０の寄付活動について、効果を発揮させたい第三者３５０へ集中的かつ効率的に容易にアピールすることができる。
【００６４】
印刷物作成装置１００は、寄付履歴情報２７０を公開し、ユーザー３４０が抱く寄付行為への不信感を和らげることができるため、寄付先３６０の寄付活動へ参加することのハードルを低め、寄付先３６０の寄付活動を活発化させることができる。
【００６５】
印刷物作成装置１００は、寄付先情報記憶手段１１０に記憶される寄付先３６０に関する情報や寄付履歴情報２７０を公開することによって、ユーザー３４０、３５０に対し寄付先３６０に自身の宣伝広告を行う環境を提供することができる。
【００６６】
印刷物作成装置１００は、装置１００の運営者等の第三者が管理する寄付履歴情報２７０を閲覧可能であるため、ユーザー３５０に対し、ユーザー３４０の客観的かつ信頼するに足りる寄付履歴情報２７０を提供することができる。
【００６７】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００６８】
１００  印刷物作成装置
１１０  寄付先情報記憶手段
１２０  注文受付手段
１３０  寄付履歴情報記憶手段
１４０  印刷指示生成手段
１５０  寄付先出金手段
１６０  寄付履歴閲覧要求受付手段
１７０  寄付履歴表示手段
１８０  寄付履歴更新手段
１９０  寄付先情報
２００  第１ユーザー端末（一のユーザーが操作する端末）
２１０  第２ユーザー端末（他のユーザーが操作する端末）
２２０  印刷対象物
２３０  印刷内容
２４０  印刷依頼
２５０  寄付依頼
２６０  印刷注文情報
２７０  寄付履歴情報
２８０  印刷装置
２９０  寄付履歴格納場所指定情報
３００  印刷指示
３１０  寄付履歴閲覧要求
３２０  着金確認情報
３３０  寄付証明書情報
３４０  一のユーザー（印刷発注者）
３５０  他のユーザー
３６０  寄付先
４１０  ＣＰＵ
４２０  ＲＯＭ
４３０  ＲＡＭ
４４０  補助記憶装置
４５０  通信インターフェース
４６０  入出力装置
４７０  周辺装置接続インターフェース
４８０  記録媒体インターフェース
４９０  記録媒体
【図１】
2015152980.tif 000003
【図２】
2015152980.tif 000004
【図３】
2015152980.tif 000005
【図４】
2015152980.tif 000006
【図５】
2015152980.tif 000007
【図６】
2015152980.tif 000008
【図７】
2015152980.tif 000009
【図８】
2015152980.tif 000010
【図９】
2015152980.tif 000011
【図１０】
2015152980.tif 000012
【図１１】
2015152980.tif 000013